(57)【要約】【課題】  支持紐の連結及び分離を容易に行うことができる衛生マスクを安価に提供することを目的とする。【解決手段】  少なくとも装着者の鼻孔及び口を覆うことができる大きさを有する柔軟性素材からなるマスク本体部１０と、マスク本体部１０の両側縁部にそれぞれ取り付けられ、側縁部の上下方向の異なる位置に両端がそれぞれ固定された伸縮性を有する一対の支持紐２０と、一対の支持紐２０のうち、少なくとも一方の支持紐２０が、摩擦力に抗して移動可能となるように往復挿通される貫通孔を有し、人体装着時に他方の支持紐の内側に挿通される連結具３０とを備える。【選択図】  図４
2018016926.tif 000002
【特許請求の範囲】
【請求項１】
少なくとも装着者の鼻孔及び口を覆うことができる大きさを有する柔軟性素材からなるマスク本体部と、
前記マスク本体部の両側縁部にそれぞれ取り付けられ、前記側縁部の上下方向の異なる位置に両端がそれぞれ固定された伸縮性を有する一対の支持紐と、
前記一対の支持紐のうち、少なくとも一方の支持紐が、摩擦力に抗して移動可能となるように往復挿通される貫通孔を有し、人体装着時に他方の支持紐の内側に挿通される連結具とを備えたことを特徴とする衛生マスク。
【請求項２】
前記連結具は、環状部材からなることを特徴とする請求項１に記載の衛生マスク。
【請求項３】
前記連結具は、前記一方の支持紐がともに往復挿通される２つの環状部材を備え、
前記環状部材は、略円形の外形及び貫通孔を有し、
前方の前記環状部材の外径が、後方の前記環状部材の外径よりも大きく、
前方の前記環状部材の内径が、後方の前記環状部材の内径よりも大きいことを特徴とする請求項１に記載の衛生マスク。
【請求項４】
前記環状部材は、略円形の断面を有するゴムリングであることを特徴とする請求項１〜３のいずれかに記載の衛生マスク。
【請求項５】
前記連結具よりも後方において前記一方の支持紐が非往復挿通される貫通孔を有する脱落防止具とを備えることを特徴とする請求項１〜４のいずれかに記載の衛生マスク。
【発明の詳細な説明】
【技術分野】
【０００１】
本発明は、衛生マスクに係り、より詳しくは、一対の支持紐を互いに連結する連結具を備えた衛生マスクの改良に関する。
【背景技術】
【０００２】
一般的な衛生マスクは、マスク本体部の側縁部に一対の耳掛け紐２１を備えている。図１１は、最も一般的な衛生マスク２００の装着時の様子を示した図である。衛生マスク２００は、口及び鼻孔を覆うマスク本体部１０の左右縁部に一対の耳掛け紐２１が設けられ、これらの耳掛け紐２１を装着者の耳に掛けることによって装着される。このような衛生マスク２００を長時間装着すれば、装着者の耳に痛みが生じ易いという問題があった。また、マスク本体部１０と装着者の顔との間の隙間をなくそうとすれば、耳掛け紐２１を短くして後方へ引っ張る力を大きくする必要があるが、耳の痛みがさらに生じ易くなるという問題があった。
【０００３】
また、支持紐２０を耳に掛けずに装着する衛生マスクの装着方法が提案されている（例えば、特許文献１）。図１２は、特許文献１に記載された衛生マスク２０１の装着方法を示した図である。特許文献１に記載された装着方法は、支持紐２０を耳の下方に配置し、左右の支持紐２０を頚部後方に配置する補助具２２で互いに連結するという方法である。この装着方法は、支持紐２０を耳に掛けない方法であるため、耳に痛みが生じるのを防止することができる。しかしながら、支持紐２０を耳の下方に配置したことにより、マスク本体部１０に対して後方下向きの力が加えられることになるため、装着者の顔に対し、マスク本体部１０を良好にフィットさせることができず、隙間が生じ易く、また、マスク本体部１０が脱落しやすいという問題があった。
【０００４】
また、本出願の発明者は、耳に掛けずに装着しフィット性を向上させた衛生マスクを提案している（特許文献２）。特許文献２に記載された衛生マスクは、耳の下方に配置される支持紐が耳よりも前方で結束されて後方に延び、左右の支持紐は、頚部後方において着脱可能に連結される。この様にして支持紐を結束することにより、支持紐は、耳の前方において角度をもって配置することができるので、装着者の顔に対し、マスク本体部１０を良好にフィットさせることができるとともに、マスク本体部１０が脱落し難くなる。
【先行技術文献】
【特許文献】
【０００５】
【特許文献１】特開２０１３−２５２３３９号公報の図４，図５
【特許文献２】ＷＯ２０１６／０４７５６７９公報
【発明の概要】
【発明が解決しようとする課題】
【０００６】
一対の支持紐を頭部又は頚部の後方において連結する場合、何らかの連結具が必要になり、衛生マスクの製造コストが増大するという問題があった。特に、ほとんどの衛生マスクは使い捨て用として安価に提供されていることから、高コストの連結具を採用することができないという問題があった。
【０００７】
また、頭部又は頚部の後方において、一対の支持紐を連結し、あるいは、分離する場合、連結部を視認することができない。このため、視認することなく連結及び分離を容易に行うことができる必要がある一方、装着者の意に反して、マスク装着中に分離されないことも必要となる。
【０００８】
本発明は、上記の事情に鑑みてなされたものであり、一対の支持紐を互いに連結して装着する衛生マスクであって、支持紐の連結及び分離を容易に行うことができる衛生マスクを提供することを目的とする。特に、頭部又は頚部の後方における支持紐の連結及び分離を容易に行うことができる衛生マスクを提供することを目的とする。さらに、一対の支持紐を連結して装着される衛生マスクを低コストで提供することを目的とする。
【課題を解決するための手段】
【０００９】
本発明の第１の実施態様による衛生マスクは、少なくとも装着者の鼻孔及び口を覆うことができる大きさを有する柔軟性素材からなるマスク本体部と、前記マスク本体部の両側縁部にそれぞれ取り付けられ、前記側縁部の上下方向の異なる位置に両端がそれぞれ固定された伸縮性を有する一対の支持紐と、前記一対の支持紐のうち、少なくとも一方の支持紐が、摩擦力に抗して移動可能となるように往復挿通される貫通孔を有し、人体装着時に他方の支持紐の内側に挿通される連結具とを備える。
【００１０】
この様な構成により、一方の支持紐に設けられた連結具を他方の支持紐の内側に挿通することにより、これらの支持紐を互いに連結することができ、衛生マスクを人体に容易に装着することができる。また、支持紐のテンションを低下させることにより、支持紐の連結を解除することができ、衛生マスクを人体から容易に取り外すことができる。従って、頭部又は頚部の後方において一対の支持紐を連結する場合でも、その連結及び連結解除を容易に行うことができる。また、従来の連結具と比較して、極めて低コストで実現することができる。
【００１１】
連結具は、摩擦力に抗して移動可能となるように一方の支持紐が往復挿通される貫通孔を有する。このため、貫通孔の軸方向が一方の支持紐の方向と一致する非装着状態では、一方の支持紐上における連結具の位置を摩擦力に抗して移動させることができる。一方、貫通孔の軸方向が一方の支持紐のテンションの方向と一致しない装着状態では、一方の支持紐上における連結具の位置が固定される。従って、非装着状態では、一方の支持紐上において連結具を移動させ、支持紐の連結長さを容易に調整できる一方、装着状態では、連結具の位置が固定され、支持紐の連結長さが意図せずに変動することがない。
【００１２】
本発明の第２の実施態様による衛生マスクは、前記構成に加えて、前記連結具が、環状部材からなる。この様な構成を採用することにより、連結具を安価に実現することができる。
【００１３】
本発明の第３の実施態様による衛生マスクは、前記構成に加えて、前記連結具が、前記一方の支持紐がともに往復挿通される２つの環状部材を備え、前記環状部材が、略円形の外形及び貫通孔を有し、前方の前記環状部材の外径が、後方の前記環状部材の外径よりも大きく、前方の前記環状部材の内径が、後方の前記環状部材の内径よりも大きい。この様な構成を採用することにより、十分な摩擦力を確保し、かつ、十分大きな外径を有する連結具を安価に実現することができる。
【００１４】
本発明の第４の実施態様による衛生マスクは、前記構成に加えて、前記環状部材が、略円形の断面を有するゴムリングである。この様な構成を採用することにより、連結具を安価に実現することができる。
【００１５】
本発明の第５の実施態様による衛生マスクは、前記構成に加えて、前記連結具よりも後方において前記一方の支持紐が非往復挿通される貫通孔を有する脱落防止具とを備える。この様な構成を採用することにより、連結具が一方の支持紐から抜け落ちるのを防止することができる。
【発明の効果】
【００１６】
本発明によれば、支持紐の連結及び分離を容易に行うことができる衛生マスクを提供することができる。特に、頭部又は頚部の後方における支持紐の連結及び分離を容易に行うことができる衛生マスクを提供することができる。さらに、一対の支持紐を連結して装着される衛生マスクを低コストで提供することができる。
【図面の簡単な説明】
【００１７】
【図１】本発明の実施の形態１による衛生マスク１００の一構成例を示した外観図である。
【図２】図１のリング３１，３２の形状を示した図である。
【図３】図１の連結具３０を右支持紐２０Ｒと平行に切断したときの断面を示した図である。
【図４】図１の衛生マスク１００の装着状態における様子を示した図である。
【図５】装着者の後方から見た連結具３０の拡大図である。
【図６】装着者の上方から見た連結具３０の拡大図である。
【図７】本発明の実施の形態２による衛生マスク１０１の要部の一構成例を示した図である。
【図８】本発明の実施の形態３による衛生マスク１０２の一構成例を示した図である。
【図９】図８の衛生マスク１０２の装着時の様子の一例を示した図である。
【図１０】図８の衛生マスク１０２の装着時の様子の他の例を示した図である。
【図１１】最も一般的な衛生マスク２００の装着時の様子を示した図である。
【図１２】特許文献１に記載された衛生マスク２０１の装着方法を示した図である。
【発明を実施するための形態】
【００１８】
実施の形態１．
図１は、本発明の実施の形態１による衛生マスク１００の一構成例を示した外観図である。図２は、図１のリング３１，３２の形状を示した図である。図３は、図１の連結具３０を右支持紐２０Ｒと平行に切断したときの断面を示した図である。
【００１９】
［衛生マスク１００］
一般に、衛生マスクは、感染症の罹患、花粉症の発症などを防止するためのマスクであり、日常生活において広く使用されている。また、病院内において患者や医療従事者などによって使用されている。さらに、人や車が多い場所のような比較的軽微な汚染環境下において、空気中の粉塵や煤煙の吸引防止を目的として使用することもできる。
【００２０】
衛生マスク１００は、装着者の口及び鼻孔が外気に直接触れるのを防止するためのマスク本体部１０と、マスク本体部１０の両側縁部にそれぞれ取り付けられた一対の支持紐２０とによって構成される。
【００２１】
［マスク本体部１０］
マスク本体部１０は、鼻頭（鼻尖）から顎先（おとがい）までを覆うことができる形状及び大きさを有する。また、マスク本体部１０の生地には、通気性及び柔軟性を有する素材、例えば、ガーゼや不織布が用いられる。マスク本体部１０の中央部分には、左右方向に延びる２以上のプリーツ１１が設けられている。また、マスク本体部１０の上縁部近傍には、左右方向に延びる形状保持プレート１２が設けられている。衛生マスク１００は、マスク本体部１０によって、少なくとも口及び鼻孔を覆うとともに、マスク本体部１０の周縁部を装着者の顔にフィットさせて両者間の隙間を極力小さくすることによって、口及び鼻孔が外気に直接触れるのを防止している。
【００２２】
［支持紐２０］
一対の支持紐２０は、マスク本体部１０の両側縁部にそれぞれ取り付けられている。支持紐２０は、柔軟性及び伸縮性を有する材料からなる紐状部材であり、例えば、直径約２ｍｍの円形断面を有するゴム紐が用いられる。支持紐２０の両端は、マスク本体部１０の同一の側縁部上における上下方向の異なる位置に固定されている。
【００２３】
一対の支持紐２０は、マスク本体部１０の右縁部に取り付けられた右支持紐２０Ｒと、マスク本体部１０の左縁部に取り付けられた左支持紐２０Ｌとによって構成される。右支持紐２０Ｒは、一端がマスク本体部１０の右縁部の上端近傍に固定され、他端がマスク本体部１０の右縁部の下端近傍に固定されている。同様にして、左支持紐２０Ｌは、一端がマスク本体部１０の左縁部の上端近傍に固定され、他端がマスク本体部１０の左縁部の下端近傍に固定される。
【００２４】
［連結具３０］
連結具３０は、一対の支持紐２０を互いに連結する連結手段である。図示した連結具３０は、２つのリング３１，３２により構成され、一対の支持紐２０の少なくとも一方に取り付けられる。ここでは、右支持紐２０Ｒに連結具３０が取り付けられ、連結具３０を用いて、右支持紐２０Ｒを左支持紐２０Ｌと連結する。また、連結具３０は、摩擦力に抗して支持紐２０上を移動することができる。このため、装着者の頭部の形状及び大きさに応じて、一対の支持紐２０の連結長さを調整することができる。
【００２５】
［リング３１，３２］
リング３１，３２は、支持紐２０が往復挿通される環状部材である。支持紐２０の往復挿通とは、支持紐２０を折り曲げたときの折り曲げ端をリング３１，３２の貫通孔に挿通した状態を指す。つまり、リング３１，３２の貫通孔には、２本の支持紐２０が挿通しており、一方の開口から出る２本の支持紐２０は、ともに支持紐２０の端部であり、他方の開口から出る支持紐２０は、互いに繋がっている。
【００２６】
図２に示した通り、リング３１，３２は、断面が略円形の線状素材を円環状に成形した形状を有する。つまり、リング３１，３２は、略円形の外形を有するとともに、略円形の貫通孔を有する。また、リング３１，３２は、支持紐２０との間に適度な摩擦力を発生する素材からなる。例えば、リング３１，３２の素材としてゴム、例えば、シリコンゴムが用いられる。特に、リング３１はシリコンゴムが用いられることが望ましい。このため、適切なサイズのＯリングをリング３１，３２として利用することができ、連結具３０を安価に実現することができる。
【００２７】
リング３１は、例えば、断面径が約２ｍｍ、外径が約５ｍｍ、内径が約１ｍｍであるものとする。一方、リング３２は、例えば、断面径が約２ｍｍ、外径が約６ｍｍ、内径が約２ｍｍであるものとする。つまり、リング３１，３２は断面径は略同一であるが、リング３２の外径は、リング３１の外径よりも大きく、リング３２の内径は、リング３１の内径よりも大きい。
【００２８】
また、リング３１は、リング３２よりも後方に配置される。つまり、リング３２は、リング３１よりもマスク本体部１０側に配置されている。また、リング３１，３２は、互いに独立して支持紐２０上を移動可能であるが、マスク装着時には、隣接して配置される。
【００２９】
図３に示した通り、リング３１，３２の貫通孔の面積は、当該貫通孔に挿通される２本の支持紐２０の自由空間における断面積の合計よりも小さい。このため、支持紐２０は、リング３１，３２の貫通孔内において内壁による径方向の圧力を受けて細くなっている。このため、支持紐２０に沿ってリング３１，３２を移動させる際に摩擦力が発生する。ただし、この摩擦力は、ユーザがリング３１，３２を強く押すことにより、リング３１，３２を移動させることができる程度の力であるため、摩擦力に抗してリング３１，３２を移動させることができる。
【００３０】
また、リング３１は、リング３２に比べて内径がより小さく、支持紐２０に対し、より大きな摩擦力が発生する。一方、リング３１は、リング３２に比べて外径が大きく、左支持紐２０Ｌをより確実に係止することができる。
【００３１】
［脱落防止具４０］
脱落防止具４０は、連結具３０が支持紐２０から脱落するのを防止する手段である。脱落防止具４０は、支持紐２０が非往復挿通される環状部材であり、連結具３０よりも後方に配置することにより、連結具３０の脱落を防止する。例えば、脱落防止具４０として、リング３１と同様のゴムリングを用いることができる。
【００３２】
脱落防止具４０の貫通孔には、支持紐２０が往復挿通以外の方法で挿通されている。例えば、１本の支持紐２０のみが脱落防止具４０の貫通孔に挿通される。このため、脱落防止具４０は、支持紐２０上を移動可能であるが、移動することにより、脱落防止具４０が支持紐２０から脱落することはない。このよう脱落防止具４０を連結具３０よりも後方に配置することにより、連結具３０の脱落を防止することができる。なお、脱落防止具４０は、省略することもできる。
【００３３】
図４は、図１の衛生マスク１００の装着状態における様子を示した図である。図中の（ａ）は、装着者の左方向から見た図であり、（ｂ）は、装着者の後方から見た図である。図５及び図６は、一対の支持紐２０を互いに連結している状態の連結具３０を拡大して示した図であり、図５は、装着者の後方から見た図であり、図６は、装着者の上方から見た図である。
【００３４】
［装着方法］
衛生マスク１００の装着は、一対の支持紐２０を連結することによって行われる。支持紐２０の連結は、連結具３０を左支持紐２０Ｌの輪の中に挿通し、左支持紐２０Ｌを連結具３０に係止することにより行われる。例えば、衛生マスク１００を装着する場合、マスク本体部１０を装着者の顔に押し当てるとともに、一対の支持紐２０を伸長させて、頭部又は頚部の後方において連結具３０が左支持紐２０Ｌ内に挿通される。このとき、支持紐２０の収縮テンションにより、左支持紐２０Ｌは、連結具３０の外縁を乗り越えることができず、連結具３０に係止される。このため、衛生マスク１００を極めて容易に装着することができ、かつ、装着状態を保持することができる。
【００３５】
衛生マスク１００の取り外しは、一対の支持紐２０の連結を解除することによって行われる。支持紐２０の連結解除は、連結具３０近傍における左支持紐２０Ｌのテンションを低下させ、左支持紐２０Ｌを連結具３０による係止から解放することによって行われる。例えば、衛生マスク１００を取り外す場合、一対の支持紐２０の一方又は両方を指で摘まんで後方に引っ張ることにより、左支持紐２０Ｌのテンションを低下させる。テンションが低下した左支持紐２０Ｌは、連結具３０の外縁を乗り越え、支持紐２０の連結が解除される。このとき、装着者は、支持紐２０のテンションを調整するだけ、意識的に左支持紐２０Ｌを連結具３０から解放する必要はない。このため、極めて容易に衛生マスクを取り外すことができる。
【００３６】
図５及び図６に示した通り、連結状態の左支持紐２０Ｌは、リング３２の前方において右支持紐２０Ｒを回り込むように配置されている。また、一対の支持紐２０は、いずれも伸長されており、そのテンションにより、左支持紐２０Ｌは、右支持紐２０Ｒを引っ張り、リング３２に隣接するように配置される。
【００３７】
このとき、図６に示した通り、連結具３０の直近前方において支持紐２０は、いずれもリング３１，３２と平行に伸び、支持紐２０のテンションは、リング３１，３２と平行な方向に作用する。上述した通り、リング３１，３２は、右支持紐２０Ｒに沿って押されることにより摩擦力に抗して移動することができるが、マスクの装着状態では、支持紐２０のテンションの方向がリング３１，３２の軸方向と一致せず、当該テンションによってリング３１，３２が右支持紐２０Ｒ上を移動することはない。
【００３８】
また、連結具３０が、より小さな内径を有するリング３１と、より大きな外径を有するリング３２とを備えることにより、専用部品を用いることなく、十分な摩擦力を確保しつつ、支持紐２０を確実に連結することができる。
【００３９】
実施の形態２．
実施の形態１では、脱落防止具４０がゴムリングである場合の例について説明したが、本実施の形態では、形状の異なる脱落防止具４１の例についてさらに説明する。
【００４０】
図７は、本発明の実施の形態２による衛生マスク１０１の要部の一構成例を示した図である。この衛生マスク１０１は、脱落防止具４１を除き、図１の衛生マスク１００（実施形態１）と同一の構成を有する。このため、重複する説明は省略する。
【００４１】
脱落防止具４１は、連結具３０の脱落を防止する手段であるため、支持紐２０が挿通され、連結具３０が通過できない貫通孔を有していればよく、その外径形状は任意である。図示した脱落防止具４１は、球形状からなるが、例えば、板形状であってもよい。
【００４２】
実施の形態３．
実施の形態１及び２では、支持紐２０を耳の上下にそれぞれ配置し、頭部又は頚部の後方において支持紐２０を相互に連結する衛生マスク１００，１０１の例について説明した。これに対し、本実施の形態では、耳よりも前方において結束された支持紐２０を耳の上下のいずれか一方に配置し、頭部又は頚部の後方において支持紐２０を相互に連結する衛生マスク１０２について説明する。
【００４３】
図８は、本発明の実施の形態３による衛生マスク１０２の一構成例を示した図である。この衛生マスク１０２は、結束具５０を備えている点を除き、図１の衛生マスク１００（実施形態１）と同一の構成を有する。このため、重複する説明は省略する。
【００４４】
［結束具５０］
結束具５０は、マスク本体部１０から後方に向かって延びる２本の支持紐２０を互いに結束する結束手段である。結束具５０は、支持紐２０が往復挿通される貫通孔を有する。図示した結束具５０は、連結具３０のリング３１と同一の素材及び形状からなり、各支持紐２０にそれぞれ取り付けられる。また、結束具５０は、摩擦力に抗して支持紐２０上を移動することができる。このため、装着者の頭部の形状及び大きさに応じて、マスク本体部１０から結束具５０までの長さを調整することができる。
【００４５】
左支持紐２０Ｌには、脱落防止具４０及び結束具５０が取り付けられている。脱落防止具４０は、結束具５０が支持紐２０から脱落するのを防止する手段であり、右支持紐２０Ｒに設けられているものと同様である。結束具５０の貫通孔には、２本の左支持紐２０Ｌが挿通しており、一方の開口から出る２本の支持紐２０は、ともに左支持紐２０Ｌの端部であり、マスク本体部１０の左縁部に取り付けられている。他方の開口から出る２本の支持紐２０は、互いに繋がっており、脱落防止具４０が取り付けられている。
【００４６】
右支持紐２０Ｒには、連結具３０、脱落防止具４０及び結束具５０が取り付けられている。結束具５０は、連結具３０よりも前方に取り付けられる。結束具５０の貫通孔には、２本の右支持紐２０Ｒが挿通しており、一方の開口から出る２本の支持紐２０は、ともに右支持紐２０Ｒの端部であり、マスク本体部１０の右縁部に取り付けられている。他方の開口から出る２本の支持紐２０は、ともに連結具３０の貫通孔に挿通されている。
【００４７】
図９は、図８の衛生マスク１０２の装着時の様子の一例を示した図である。結束具５０は、耳の前方に配置され、支持紐２０は、耳の下方を通って後方に延びる。このため、支持紐２０を耳に掛ける場合に比べて、マスク装着による耳の痛みが生じ難い。図中では、左支持紐の２０Ｌみが示されているが、右支持紐２０Ｒについても全く同様である。一対の支持紐２０は、頭部又は頚部の後方において、連結具３０によって互いに連結される。
【００４８】
支持紐２０の２つの端部は、いずれもマスク本体部１０の側縁部の上下方向の異なる位置に固定されている。一方の端部は、上端近傍に固定され、他方の端部は、下端近傍に固定され、支持紐２０は、これらの端部から結束具５０に向かって延びる。また、結束具５０は、装着者の耳よりも前方に配置されている。このため、２本の支持紐２０は、結束具５０の前方において大きな角度をなすように配置され、マスク本体部１０の上端近傍が、後方下向きに引っ張られる一方、マスク本体部１０の下端近傍が、後方上向きに引っ張られる。従って、２本の支持紐２０をともに耳の下側に配置しても、マスク本体部１０は、装着者の顔との間に隙間が生じにくく良好にフィットする。また、マスク本体部１０がずれ落ち難くなる。
【００４９】
また、摩擦力に抗して、結束具５０を移動させることにより、装着者の頭部の形状及び大きさに応じて、結束具５０が、耳の前方に配置されるように調整することができる。また、結束具５０の移動により、支持紐２０がなす角度を調整することができる。
【００５０】
図１０は、図８の衛生マスク１０２の装着時の様子の他の例を示した図である。結束具５０は、耳の前方に配置され、支持紐２０は、耳の上方を通って後方に延びる。このため、支持紐２０を耳に掛ける場合に比べて、マスク装着による耳の痛みが生じ難い。図中では、左支持紐２０Ｌのみが示されているが、右支持紐２０Ｒについても全く同様である。一対の支持紐２０は、頭部又は頚部の後方において、連結具３０によって互いに連結される。
【００５１】
支持紐２０の２つの端部は、いずれもマスク本体部１０の側縁部の上下方向の異なる位置に固定されている。一方の端部は、上端近傍に固定され、他方の端部は、下端近傍に固定され、支持紐２０は、これらの端部から結束具５０に向かって延びる。また、結束具５０は、装着者の耳よりも前方に配置されている。このため、２本の支持紐２０は、結束具５０の前方において大きな角度をなすように配置され、マスク本体部１０の上端近傍が、略後方へ引っ張られる一方、マスク本体部１０の下端近傍が、後方上向きに引っ張られる。従って、２本の支持紐２０をともに耳の上側に配置しても、マスク本体部１０は、装着者の顔との間に隙間が生じにくく良好にフィットする。また、マスク本体部１０がずれ落ち難くなる。
【００５２】
また、摩擦力に抗して、結束具５０を移動させることにより、装着者の頭部の形状及び大きさに応じて、結束具５０が、耳の前方に配置されるように調整することができる。また、結束具５０の移動により、支持紐２０がなす角度を調整することができる。
【００５３】
なお、上記実施の形態では、連結具３０又は結束具５０の脱落を防止するための脱落防止具４０を備える衛生マスクの例について説明したが、脱落防止具４０は、省略することもできる。
【００５４】
また、上記実施の形態では、連結具３０、脱落防止具４０及び結束具５０がゴムリングからなる場合の例について説明した。Ｏリング等として用いられるゴムリングを利用することは、本発明による衛生マスクを安価に提供できる点で望ましいが、本発明は、この様な場合のみに限定されない。
【００５５】
また、上記実施の形態では、連結具３０が、右支持紐２０Ｒに取り付けられている場合の例について説明したが、本発明は、この様な場合のみに限定されない。例えば、連結具３０は、左支持紐２０Ｌに取り付けられていてもよい。また、一対の支持紐２０連結具３０をそれぞれに取り付けることもできる。
【符号の説明】
【００５６】
１０        マスク本体部
１１        プリーツ
１２        形状保持プレート
２０        支持紐
２０Ｌ      左支持紐
２０Ｒ      右支持紐
３０        連結具
３１，３２  リング
４０，４１  脱落防止具
５０        結束具
１００〜１０２  衛生マスク
【図１】
2018016926.tif 000003
【図２】
2018016926.tif 000004
【図３】
2018016926.tif 000005
【図４】
2018016926.tif 000006
【図５】
2018016926.tif 000007
【図６】
2018016926.tif 000008
【図７】
2018016926.tif 000009
【図８】
2018016926.tif 000010
【図９】
2018016926.tif 000011
【図１０】
2018016926.tif 000012
【図１１】
2018016926.tif 000013
【図１２】
2018016926.tif 000014